(57)【特許請求の範囲】
【請求項１】
細長い糸条本体を有し、該糸条本体の先部に自重程度の力によって屈曲可能に取り付けられた先端部品の前記糸条本体の軸線方向に対する最大屈曲角度が４５度以下であることを特徴とする糸通し具。
【請求項２】
細長い糸条本体を有し、該糸条本体の先部に自重程度の力によって屈曲可能に取り付けられた先端部品の前記糸条本体の軸線方向に対する屈曲角度の大きさを４５度以内に調節できる調節部材を具備することを特徴とする糸通し具。
【請求項３】
前記先端部品と糸条本体との間の屈曲部から所定長さ後方位置の糸条本体に、釣竿の先端から竿管内部に挿通可能な目印を設けてなる請求項１又は２記載の糸通し具。
【請求項４】
前記目印は糸条本体上の位置を調節可能に構成してなる請求項３記載の糸通し具。
【発明の詳細な説明】
【０００１】
【発明の属する技術分野】
本発明は、中通し釣竿の糸通しに使用する糸通し具に関する。
【０００２】
【従来の技術】
中通し釣竿は、釣糸が竿管内部を挿通している状態で使用するため、竿先に釣糸が絡むことが防止される等の利点のため、普及している。然しながら、釣糸をそのまま竿管内部に挿通させる作業は困難であるため、糸通し具と呼ばれる細径糸条体を使用する。その例が、本出願人による特開平８−１７２９８３号公報に見られる。この公報では、釣竿の先端から糸通し具を挿通させる、所謂、トップイン方式のものを開示している。即ち、釣糸係止部の直ぐ後ろ付近が鎖で形成された糸通し具を竿先から挿入し、この先端部が竿管周壁部に設けた釣糸導入部の長孔部に届いた際、該長孔部を下方に向ければ、先端部はその自重によって落下して長孔から外部に出るというものである。
【０００３】
【発明が解決しようとする課題】
然しながら、釣糸導入部には、長孔部の後方位置（長孔上に位置している場合もある）であって、竿管表面から離隔した位置にガイドリングを設けていることが一般的であり、長孔部から糸通し具の先端部を出した後に、再度この先端部を持って後方のガイドリングにも挿通させなければならず、面倒な感があった。従って、糸通し具の先端部を長孔から外部に出すのみならず、このガイドリングにも挿通させることのできることが好ましく、これを究極の目標とする。しかし、糸通し具の先部が長孔から出ても、重力方向に垂れてしまう構造では前記ガイドリングに挿通させることはできない他、竿先から糸通し具を挿通させる場合にも、鎖部の腰の無さのために先端部が竿管内部に引っ掛かり易く、挿通させ難い。依って本発明は、トップイン方式の場合の糸通し作業を円滑に行なうことを目的とする。
【０００４】
【課題を解決するための手段】
上記目的に鑑み、請求項１において、細長い糸条本体を有し、該糸条本体の先部に自重程度の力によって屈曲可能に取り付けられた先端部品の前記糸条本体の軸線方向に対する最大屈曲角度が４５度以下であることを特徴とする糸通し具を提供する。
最大屈曲角度が４５度以下であるため、挿通操作時に竿管内部に引っ掛かり難く、挿通作業が円滑に行なえる他、釣糸導入部の竿管周壁部に設けた孔位置に達した際に、４５度以下ではあるが屈曲するため、孔を下向きにしておけば、先端部品が孔から外部に出易く、また、そのまま孔の後ろのガイドリングにも挿通させ易い。
【０００５】
請求項２において、細長い糸条本体を有し、該糸条本体の先部に自重程度の力によって屈曲可能に取り付けられた先端部品の前記糸条本体の軸線方向に対する屈曲角度の大きさを４５度以内に調節できる調節部材を具備することを特徴とする糸通し具を提供する。
釣糸導入部の竿管周壁部に設けた孔とその後ろのガイドリングとの寸法位置関係は、原則として竿種毎に異なるが、調節部材を具備しているため、使用する竿の釣糸導入部の形態にできるだけ合うように調節でき、糸通し作業が円滑になる。
【０００６】
請求項３において、前記先端部品と糸条本体との間の屈曲部から所定長さ後方位置の糸条本体に、釣竿の先端から竿管内部に挿通可能な目印を設けてなる請求項１又は２記載の糸通し具を提供する。複数箇所に目印を設けている場合も本願範囲である。
請求項１又は２の作用に加え、糸通し具の目印から屈曲部までの所定長さが、竿先から釣糸導入部の竿管周壁部に設けた孔までの距離に対応する釣竿に対して、糸通し作業の際に目印が釣竿先端に位置するまで糸通し具を押し込めば、釣糸導入部の孔を下方に向けておけば、この孔から糸通し具の先端部品が概ね自動的に出る。従って、糸通し作業が円滑になる。更には、この目印が竿先から竿管内部に挿通可能であるため、孔から糸通し具の先端部品が出た後、孔後方のガイドリングに挿通できていない場合にそこに挿通させる作業をしたり、或いは、リールからの釣糸を先端部品に係止させたりする作業のために要する糸通し具の作業長さを確保するために、釣糸導入部において糸通し具を更に引き出すことができる。
【０００７】
請求項４において、前記目印は糸条本体上の位置を調節可能に構成してなる請求項３記載の糸通し具を提供する。
【０００８】
請求項４では、請求項３の作用に加え、目印が糸条本体上の位置を調節可能であるため、使用する釣竿の先端から釣糸導入部の竿管周壁部に設けた孔までの距離に合致するように調節できるため、１つの糸通し具が種々の釣竿に使用可能となる。
【０００９】
【発明の実施の形態】
以下、本発明を添付図面に示す実施形態例に基づき、更に詳細に説明する。
図１は本発明に係る糸通し具３０を使用した糸通し作業中の中通し釣竿の側面図であり、図２と図３は要部拡大縦断面図である。元竿１０から第１中竿１２を振り出して、元竿の継合部１０Ｔに継ぎ合わせている。その他の中竿と穂先竿１４は第１中竿１２に収納した状態としている。これらの竿管はエポキシ樹脂等の合成樹脂を炭素繊維等の強化繊維で強化した繊維強化樹脂製であり、元竿１０の所定位置にはリール２０を装着するリール固定装置１８が設けられている。
【００１０】
元竿の先部であって、継合部１０Ｔの後ろ近くには、釣糸導入部１６が設けられている。この釣糸導入部は、元竿竿管周壁部に長孔１０Ｈが設けられており、この長孔の直ぐ後ろ近くには、フレーム体１６Ｆに保持されて元竿竿管表面から離隔した高い位置に支持されたセラミックス製のガイドリング１６Ｇが設けられている。前記長孔は、元竿竿管周壁部に直接形成した本体長孔の前端部と後端部を縁取るように配設された、夫々Ｃ形状のセラミックス製のガイド部材１０Ｇ，１０Ｇ’と、これらの間を接続して本体長孔を縁取るように配設された合成樹脂等の部材１０Ｐとによって区画形成されている。
【００１１】
上記状態の釣竿を図１のように、重い元竿後端を地面等につけた傾斜状の安定状態で、以下において説明する糸通し具３０を、その先端部に設けた釣糸係止部３０Ｋを先頭にして穂先竿１４の先端であるトップガイド１４Ｇから竿管内部に挿入して糸通し作業を行なう。例えば、この糸通し具３０は図４に示すように構成されており、細長い糸条本体３０Ｈの一端部に、図５以下で説明する屈曲構造を有しつつ、その先端に釣糸係止部３０Ｋを設けている。一方、この先端部から所定長さＬ３だけ他端側に離れた位置に目印３０Ｍ２が、所定長さＬ２だけ他端側に離れた位置に目印３０Ｍ１が、更には、所定長さＬ１だけ他端側に離れた位置には抜け止め部材３０Ｂが夫々設けられている。Ｌ１>Ｌ２>Ｌ３である。
【００１２】
この場合は、糸通し具の先端部から目印３０Ｍ１までの長さＬ２が、図１の状態の釣竿のトップガイド１４Ｇから釣糸導入部１６の長孔１０Ｈ（の適宜位置）までの長さＬと概ね同じに構成されており、この目印３０Ｍ１がトップガイド１４Ｇの位置に来るまで糸条本体３０Ｈを押し込めば、糸通し具先端部（屈曲部か屈曲構造部か釣糸係止部）が長孔の位置に到達する。従って、釣糸導入部１６を、図１に示すように下側に向けておけば、重力の作用で釣糸係止部３０Ｋ等の糸通し具先端部が撓んで長孔から外部に出てくる。各目印３０Ｍ１，３０Ｍ２はその大きさ（径方向の大きさ）が釣竿の先端（トップガイド１６Ｇ）から竿管内部に挿通可能な大きさに構成されている。
【００１３】
撓み角度は、後述の屈曲角度θと糸条本体３０Ｈの撓み角度αの和である。この先端部の重量、屈曲角度、そして糸条本体３０Ｈの撓み剛性等の設定によっては、釣竿先端からの糸条本体３０Ｈの押し込み操作をそのまま続ければ、この押し込み操作のみで、図３に示すように釣糸係止部３０Ｋをガイドリング１６Ｇの中を通すことができる。前記抜け止め部材３０Ｂと先端部との長さ距離Ｌ１は、先端部がこのガイドリング１６Ｇを通過し、その釣糸係止部３０Ｋにリール２０から引き出した釣糸２２を係止させる作業に必要な長さ以上に設定する。両軸受型リールのレベルワインド機構の釣糸挿通孔にまで到達させる長さを有していてもよい。或いは、釣糸係止部が長孔１０Ｈから出ると共に、リールから引き出した釣糸２２が、リール側からガイドリング１６Ｇを挿通した状態において、前記長孔から出た釣糸係止部３０Ｋに釣糸先部を係止させる作業が行なえる長さ以上に設定する。
【００１４】
この形態例では、目印３０Ｍ２は使用されなかったが、他の中通し釣竿であって、図１の長さＬが糸通し具先端部と目印３０Ｍ２との長さ距離Ｌ３と概ね同じ場合に使用される。逆にその場合は、目印３０Ｍ１は無くてもよいことになる。このように、図４に示す糸通し具３０は２種類の中通し釣竿に使用できる。
【００１５】
糸条本体３０Ｈは、ステンレスワイヤー、形状記憶合金等の材料によって形成するとよいが、綿糸やナイロン糸でも可能である。また、細線を多数束ねて編んだり、単線で構成してもよい。竿管内部を挿通させられる適度な撓み剛性を有すると共に、障害物に当った際に適当に変形できる柔軟性も必要である。糸条本体表面にナイロン等の樹脂をコーティングすれば、糸滑り性が良くなり、円滑に糸通し可能となる。先端部の釣糸係止部３０Ｋはステンレスワイヤー等の金属や、綿糸、ナイロン等で形成でき、釣糸が掛け止めされればよく、フック形状、クリップ式構造、折り返しによる挟み込み等の形態がある。
【００１６】
抜け止め部材３０Ｂは、釣竿先端から内部に侵入できない大きさに形成しており、糸条本体３０Ｈに対して移動できると共に、任意位置、或いは適宜位置に保持可能に構成すると好ましい。糸条本体に当接する中心部位に、ゴムや合成樹脂等の径方向に弾性変形可能な部材を設ければ移動、保持が可能となる。こうすれば、使用する釣竿の種類に応じて調節でき、適用範囲が広がる。
【００１７】
各目印は、塗料による色付けでもよく、また、ゴムや合成樹脂等の部材で構成してもよい。ゴムや合成樹脂では、糸条本体３０Ｈを移動できて、しかも任意位置、或いは適宜位置に保持可能に構成できる。従って、その場合は目印は１つでよく、１つの糸通し具を種々の釣竿に適用できる。
以上の糸通し具に関する各種要素の説明事項を含め、以下に説明する屈曲構造の各種形態例において説明する各要素の説明事項は、互いに矛盾しない限り、他の形態例における組み合わせ事項として互いに適用してもよい。
【００１８】
図５は、図４に示した糸通し具の先端部である、屈曲部の構造とその先の釣糸係止部３０Ｋを拡大図示したものであって、（ａ）は屈曲前の図、（ｂ）は屈曲状態の図である。２本の軸部材Ｊ１，Ｊ２を互いに屈曲可能に連結し、一方の軸部材Ｊ１を、筒部材Ｔ１を被せることによって糸条本体３０Ｈに連結固定しており、他方の軸部材Ｊ２を、筒部材Ｔ２を被せることによって先端の釣糸係止部３０Ｋに連結固定している。これらの連結用筒部材Ｔ１，Ｔ２はその対向する端面同士が互いに充分離隔しており、軸部材間の屈曲角度に影響を与えないように構成されているが、更にこれらの連結用筒部材Ｔ１，Ｔ２の外側に、屈曲角度調節用のスリーブ部材ＳＴ１，ＳＴ２を被せている。この場合、釣糸係止部３０Ｋ、軸部材Ｊ２、筒部材Ｔ２、そしてスリーブ部材ＳＴ２が自重程度で屈曲可能な先端部品となる。
【００１９】
即ち、当該スリーブ部材ＳＴ１，ＳＴ２の対向端面間距離を調節して、１対の軸部材の屈曲角度が所定角度θになった状態で、前記スリ−ブ部材ＳＴ１，ＳＴ２の対向端面の所定部位同士が当接し合い、それ以上屈曲することを防止する。スリーブ部材Ｓ１，ＳＴ２の対向端面間距離の調節は、何れかのスリーブ部材を軸長方向に移動させて、互いの端面間距離を調節すればよい。従って、一方のスリーブ部材ＳＴ１又はＳＴ２は固定されていてもよい。屈曲角度θは、４５度以下になるようにスリーブ部材ＳＴ１とＳＴ２の間隔を調節できる。４５度以下であれば、糸通し具を竿管内に挿通させる場合に、先端部が竿管内部に引っ掛かる虞を低減でき、円滑に挿通させ易い。また、好ましくは、２０度以上の屈曲角度になるように設定する。これは、２０度以下では、糸通し具の先端部が竿管周壁部の孔から外部に突出し難いからである。
【００２０】
１対の軸部材の屈曲を自在にさせるために、図６に示すようなユニバーサルジョイント方式に構成すれば、糸通し具の方向に拘わらず、竿管周壁部の長孔等の孔から糸通し具先端部を出し易い。また、１対の軸部材に代わって、図７に示すように、糸条本体３０Ｈに比べて柔軟な線材Ｊ１２に置換しても、やはり屈曲方向に方向性が無く、ユニバーサルジョイント方式と同様に孔から出し易い。この図６と図７の場合は、屈曲角度が所定角度になれば、筒部材Ｔ１，Ｔ２の対向端面同士が当接して屈曲角度を規制する。
【００２１】
図８は、互いに隣接した要素部材Ｅ間での屈曲角度は小さく、これらが複数個直列に連結されることによって、全体として所望の屈曲角度を呈するよう構成された一種の鎖部材Ｊ１２（キーホルダー等に使用されている）によって屈曲させるものを示している。その各端部側は、夫々、糸条本体３０Ｈと釣糸係止部３０Ｋとに、筒部材Ｔ１，Ｔ２によって結合固定されている。図９は、この一種の鎖部材Ｊ１２を使用した屈曲部を調節して屈曲角度を変更可能に構成している。即ち、当該一種の鎖部材Ｊ１２の各端部側は筒部材Ｔ１，Ｔ２によって、夫々、糸条本体３０Ｈと釣糸係止部３０Ｋとに連結固定されているが、筒部材Ｔ１と鎖部材Ｊ１２の上を長手方向に移動可能であって、任意の位置に停止できる屈曲角度調節用のスリーブ部材ＳＴを有している。従って、露出する要素部材Ｅの数を調節でき、これによって屈曲角度θを、例えば、２０〜４５度の範囲内の種々の角度に調節できる。従って、使用する釣竿に最も合致する角度に設定できる他、他の釣竿にも使用できる。
【００２２】
図１０は、３個以上の軸部材Ｊ１，Ｊ２，Ｊ３を互いに屈曲可能に連結し、両端の軸部材Ｊ１，Ｊ３は、夫々、筒部材Ｔ１，Ｔ３を介して糸条本体３０Ｈと釣糸係止部３０Ｋとに結合固定している。その結果、少なくとも２個所以上の屈曲部を有しており（この例では２個所）、これらの筒部材の外側に套嵌され、各筒部材の長手方向に移動可能であって、屈曲部に亘った状態で停止できる屈曲角度調節用のスリーブ部材ＳＴ１，ＳＴ２を有している。従って、例えば、図１０に示すように、１個所の屈曲部をスリーブ部材ＳＴ２で屈曲不可能に拘束すれば、小さな屈曲角度θとなり、このスリーブ部材ＳＴ２による拘束を外せば、大きな屈曲角度となる。
【００２３】
以上の形態のように糸通し具の先端部に屈曲部を設ける構造の他、先端部に一定の湾曲部を設けておき、これによって孔位置において外部に出易くすることもできる。この場合、操作する側である糸通し具の後部に（例えば、図４に示す目印３０Ｍ１，３０Ｍ２等を設ける位置等に）屈曲部の屈曲方向を認知できる他の目印を設けてもよい。勿論、図４の目印とこの目印を１つにして、両方の目印を兼ねるよう構成してもよい。更には、抜け止め部材３０Ｂを糸条本体３０Ｈの後部から抜き取れば、トップイン方式ではなく、釣糸導入部から釣竿先端方向に糸通し具を挿入する方式の糸通し作業にも使用可能となる。
【００２４】
図１１は、糸通し具の先端に釣糸係止部３０Ｋを有していれば、竿管内部を挿通する際に引っ掛かり易くなるのでこれを防止すべく、先端は杆部材（ここでは円筒状軸部材)３０Ｓとし、この後ろであって、糸条本体３０Ｈとの間に釣糸係止部３０Ｋを配設している。この形態例ではその前後を２つの筒部材Ｔ１，Ｔ２を使用して連結している。この構造では細径化された杆部材を使用できるため、先導が円滑に行なわれ得る。また、この先導する杆部材３０Ｓを鉛のような比重の大きな材料で形成すれば、挿通時に竿管内部を落下し易く、また、孔位置において落下して外部に出やすくなる。更には、竿部材３０Ｓの先端の角部を除去するように曲面化しているので、挿通させる際に竿管内部に引っ掛かり難い。この杆部材と糸条本体との間に釣糸係止部を設ける構造は本願の各請求項の各要件と無関係に適用できるものである。
【００２５】
【発明の効果】
以上の説明から明らかなように本発明によれば、トップイン方式の場合の糸通し作業を円滑に行なうことができる。
【図面の簡単な説明】
【図１】図１は本発明に係る糸通し具を使用した糸通し作業中の側面図である。
【図２】図２は図１の他の作業途中の要部拡大断面図である。
【図３】図３は図１の作業途中の要部拡大断面図である。
【図４】図４は本発明に係る糸通し具の側面図である。
【図５】図５は図４の糸通し具の要部拡大断面図である。
【図６】図６は他の糸通し具の要部断面図である。
【図７】図７は他の糸通し具の要部断面図である。
【図８】図８は他の糸通し具の要部断面図である。
【図９】図９は他の糸通し具の要部断面図である。
【図１０】図１０は他の糸通し具の要部断面図である。
【図１１】図１１は他の糸通し具の要部断面図である。
【符号の説明】
１０Ｈ                長孔（竿管周壁部の孔）
１６                  釣糸導入部
１６Ｇ                ガイドリング
３０                  糸通し具
３０Ｂ                抜け止め部材
３０Ｈ                糸条本体
３０Ｋ                釣糸係止部
３０Ｍ１，３０Ｍ２    目印
Ｔ１，Ｔ２            屈曲構造部パーツ
【図１】
0003666728.tif 000002
【図２】
0003666728.tif 000003
【図３】
0003666728.tif 000004
【図４】
0003666728.tif 000005
【図５】
0003666728.tif 000006
【図６】
0003666728.tif 000007
【図７】
0003666728.tif 000008
【図８】
0003666728.tif 000009
【図９】
0003666728.tif 000010
【図１０】
0003666728.tif 000011
【図１１】
0003666728.tif 000012